(57)【要約】【課題】本発明は、プラズマディスプレイパネル駆動時に電極ライン間の輝度差を減らすことができるプラズマディスプレイ装置の駆動方法を提供する。【解決手段】本発明に係るプラズマディスプレイ装置の駆動方法は、１つのサブフィールドを少なくともアドレス期間及びサステイン期間に分け、サステイン期間の間、第１電極に正極性の第１パルスと、負極性の第２パルスと、を交互に印加し、第１電極に正極性の第１パルスが印加される間、第２電極はグラウンドレベルを維持し、正極性の第１パルスの電圧の絶対値と負極性方向の第２パルスの電圧の絶対値とが互いに異なるようにする。【選択図】図１
2007249208.tif 000002
【特許請求の範囲】
【請求項１】
１つのサブフィールドを少なくともアドレス期間及びサステイン期間に分けて駆動するプラズマディスプレイ装置の駆動方法において、
前記サステイン期間の間、第１電極に正極性の第１パルスと、負極性の第２パルスと、を交互に印加し、
前記第１電極に前記正極性の第１パルスが印加される間、第２電極はグラウンドレベルを維持し、
前記正極性の第１パルスの電圧の絶対値と前記負極性の第２パルスの電圧の絶対値とが互いに異なるようにすることを特徴とするプラズマディスプレイ装置の駆動方法。
【請求項２】
前記サステイン期間の間、前記第１電極に負極性の第２パルスが印加される間、第２電極に第１正極性パルスが印加されることを特徴とする請求項１に記載のプラズマディスプレイ装置の駆動方法。
【請求項３】
前記第２電極は、前記アドレス期間の間、所定の電圧に維持されることを特徴とする請求項２に記載のプラズマディスプレイ装置の駆動方法。
【請求項４】
前記サステイン期間の間、第３電極はグラウンドレベルに維持されることを特徴とする請求項２に記載のプラズマディスプレイ装置の駆動方法。
【請求項５】
前記第３電極は、前記第１電極に負極性の第２パルスが印加される間、グラウンドレベルに維持されることを特徴とする請求項４に記載のプラズマディスプレイ装置の駆動方法。
【請求項６】
前記第１電極に正極性の第１パルスが印加する間、第３電極に第２正極性パルスが印加されることを特徴とする請求項２に記載のプラズマディスプレイ装置の駆動方法。
【請求項７】
前記第１パルスの電圧の絶対値が前記第２パルスの電圧の絶対値より大きいことを特徴とする請求項１に記載のプラズマディスプレイ装置の駆動方法。
【請求項８】
前記第１パルスの電圧の絶対値と前記第２パルスの電圧の絶対値との差は、前記アドレス期間において第３電極に印加されるデータパルスの電圧と実質的に同じであることを特徴とする請求項１に記載のプラズマディスプレイ装置の駆動方法。
【請求項９】
前記正極性の第１パルスの上昇期間は、前記負極性の第２パルスの上昇期間より短いことを特徴とする請求項１に記載のプラズマディスプレイ装置の駆動方法。
【請求項１０】
前記第１パルスの上昇時間は、３００ｎｓ以上１ｍｓ以下であることを特徴とする請求項９に記載のプラズマディスプレイ装置の駆動方法。
【請求項１１】
前記第１パルスの上昇時間と前記第２パルスの下降時間との比は、１：１．２以上１：１．５以下であることを特徴とする請求項９に記載のプラズマディスプレイ装置の駆動方法。
【請求項１２】
前記正極性の第１パルスのバイアス期間は、前記負極性の第２パルスのバイアス期間より短いことを特徴とする請求項１に記載のプラズマディスプレイ装置の駆動方法。
【請求項１３】
前記第１パルスのバイアス期間は、５００ｎｓ以上２ｍｓ以下であることを特徴とする請求項１２に記載のプラズマディスプレイ装置の駆動方法。
【請求項１４】
前記第１パルスのバイアス期間と前記第２パルスのバイアス期間との比は、１：１．３以上１：１．８以下であることを特徴とする請求項１２に記載のプラズマディスプレイ装置の駆動方法。
【請求項１５】
１つのサブフィールドを少なくともアドレス期間及びサステイン期間に分けて駆動するプラズマディスプレイ装置の駆動方法において、
前記サステイン期間の間、第１電極に正極性の第１パルスと前記第１パルスの電圧の絶対値より小さな電圧の絶対値を有する負極性の第２パルスを交互に印加し、
前記第１電極に第２パルスが印加される間、第２電極に第１正極性パルスを印加し、
前記第１電極に第１パルスが印加される間、第３電極に第２正極性パルスを印加することを特徴とするプラズマディスプレイ装置の駆動方法。
【請求項１６】
前記第２電極は、前記アドレス期間の間、所定の電圧に維持されることを特徴とする請求項１５に記載のプラズマディスプレイ装置の駆動方法。
【請求項１７】
前記第２電極に印加される第１正極性パルスの電圧が前記第３電極に印加される前記第２正極性パルスの電圧より小さいことを特徴とする請求項１５に記載のプラズマディスプレイ装置の駆動方法。
【請求項１８】
前記第３電極に前記アドレス期間以前のリセット期間において前記正極性バイアス電圧を印加することを特徴とする請求項１５に記載のプラズマディスプレイ装置の駆動方法。
【請求項１９】
１つのサブフィールドを少なくともアドレス期間及びサステイン期間に分けて駆動するプラズマディスプレイ装置の駆動方法において、
前記サステイン期間の間、第１電極に電圧の絶対値が同じ正極性の第１パルスと負極性の第２パルスを交互に印加し、
前記第１電極に正極性の第１パルスが印加される間、第２電極に負極性の第３パルスを印加することを特徴とするプラズマディスプレイ装置の駆動方法。
【請求項２０】
前記第３パルスの電圧の絶対値は、前記アドレス期間において第３電極に印加されるデータパルスの電圧と実質的に同じであることを特徴とする請求項１９に記載のプラズマディスプレイ装置の駆動方法。
【請求項２１】
前記サステイン期間の間、前記第３電極は、グラウンドレベルを維持することを特徴とする請求項２０に記載のプラズマディスプレイ装置の駆動方法。
【請求項２２】
前記第２電極は、アドレス期間の間、所定の電圧を維持することを特徴とする請求項１９に記載のプラズマディスプレイ装置の駆動方法。
【発明の詳細な説明】
【技術分野】
【０００１】
本発明は、プラズマディスプレイ装置の駆動方法に関する。
【背景技術】
【０００２】
一般に、プラズマディスプレイ装置は、画像を表示するプラズマディスプレイパネルと、プラズマディスプレイパネルを駆動させるための駆動部がプラズマディスプレイパネルの背面に取り付けられて形成される。
【０００３】
プラズマディスプレイパネルは、互いに一定間隔で離隔される前面基板と後面基板、前面基板と後面基板との間に複数の放電セルを形成する隔壁を備え、各セル内には、ネオン（Ｎｅ）、ヘリウム（Ｈｅ）又はネオン及びヘリウムの混合気体（Ｎｅ＋Ｈｅ）のような主放電気体と少量のキセノンを含有する不活性ガスとが充電されている。このような放電セルは、赤色（Ｒｅｄ、Ｒ）放電セル、緑色（Ｇｒｅｅｎ、Ｇ）放電セル、青色（Ｂｌｕｅ、Ｂ）放電セルが集まって１つのピクセルをなす。
【０００４】
また、プラズマディスプレイパネルは、高周波パルスにより放電される際に、不活性ガスは、真空紫外線（Ｖａｃｕｕｍ  Ｕｌｔｒａｖｉｏｌｅｔ  ｒａｙｓ）を発生し、隔壁間に形成された蛍光体を発光させて画像が具現される。
【０００５】
プラズマディスプレイパネルは、複数の電極、例えばスキャン電極（Ｙ）、サステイン電極（Ｚ）、アドレス電極（Ｘ）を含み、このようなプラズマディスプレイパネルの電極に駆動電圧を供給するための駆動部がそれぞれの電極に接続される。
【０００６】
各駆動部は、プラズマディスプレイパネルの駆動時の所定の期間において、例えば、リセット期間、アドレス期間、サステイン期間においてリセットパルス、スキャンパルス、サステインパルスのような駆動パルスをプラズマディスプレイパネルの電極に供給して、放電セルを発光させる。
【０００７】
このようなプラズマディスプレイ装置は、薄くて軽い構成が可能なので、現在、表示装置として注目されつつある。
【発明の開示】
【発明が解決しようとする課題】
【０００８】
本発明は、上述の問題点に鑑みてなされたもので、その目的は、プラズマディスプレイパネル駆動時に電極ライン間の輝度差を減らすことができるプラズマディスプレイ装置の駆動方法を提供することにある。
【０００９】
また、本発明の他の目的は、低コストでプラズマディスプレイパネルを駆動できるプラズマディスプレイ装置の駆動方法を提供することにある。
【００１０】
また、本発明の更に他の目的は、プラズマディスプレイパネルの駆動時に安定したサステイン放電を具現し得るプラズマディスプレイ装置の駆動方法を提供することにある。
【課題を解決するための手段】
【００１１】
上記の目的を達成すべく、本発明の一実施の形態に係るプラズマディスプレイ装置の駆動方法は、１つのサブフィールドを少なくともアドレス期間及びサステイン期間に分けて駆動し、サステイン期間の間、第１電極に正極性の第１パルスと、負極性の第２パルスと、を交互に印加し、第１電極に正極性の第１パルスが印加される間、第２電極はグラウンドレベルを維持し、正極性の第１パルスの電圧の絶対値と負極性の第２パルスの電圧の絶対値とが互いに異なるようにする。
【００１２】
また、プラズマディスプレイ装置の駆動方法は、サステイン期間の間、第１電極に負極性の第２パルスが印加される間、第２電極に第１正極性パルスが印加されることが好ましい。
【００１３】
また、上記の目的を達成すべく、本発明の一実施の形態に係るプラズマディスプレイ装置の駆動方法は、１つのサブフィールドを少なくともアドレス期間及びサステイン期間に分けて駆動し、サステイン期間の間、第１電極に正極性の第１パルスと第１パルスの電圧の絶対値より小さな電圧の絶対値を有する負極性の第２パルスを交互に印加し、第１電極に第２パルスが印加される間、第２電極に第１正極性パルスを印加し、第１電極に第１パルスが印加される間、第３電極に第２正極性パルスを印加する。
【００１４】
また、上記の目的を達成すべく、本発明の一実施の形態に係るプラズマディスプレイ装置の駆動方法は、１つのサブフィールドを少なくともアドレス期間及びサステイン期間に分けて駆動し、サステイン期間の間、第１電極に電圧の絶対値が同じ正極性の第１パルスと負極性の第２パルスを交互に印加し、第１電極に正極性の第１パルスが印加される間、第２電極に負極性の第３パルスを印加する。
【発明の効果】
【００１５】
本発明によれば、プラズマディスプレイパネル駆動時に電極ライン間の輝度差を減らすことができる。
【００１６】
また、本発明によれば、低コストでプラズマディスプレイパネルを駆動することができ、プラズマディスプレイパネルの駆動時に安定したサステイン放電を具現し得るという効果がある。
【発明を実施するための最良の形態】
【００１７】
以下、本発明の好ましい実施の形態を、図面に基づき詳細に説明する。
【００１８】
図１は、本発明の実施の形態に係るプラズマディスプレイ装置を概略的に示した図である。
【００１９】
図１に示すように、本発明の実施の形態に係るプラズマディスプレイ装置は、プラズマディスプレイパネル５０、プラズマディスプレイパネルを駆動するためのアドレス駆動部５２、スキャン駆動部５４、タイミング制御部５６、及び駆動電圧発生部５８を備える。
【００２０】
プラズマディスプレイパネル５０は、行方向に配列している第１電極Ｙ１〜Ｙｎ（以下、スキャン電極とする）、第２電極Ｚ１〜Ｚｎ（以下、サステイン電極とする）及び列方向に配列している複数の第３電極Ｘ１〜Ｘｍ（以下、アドレス電極とする）を備える。
【００２１】
アドレス駆動部５２は、タイミング制御部５６から供給されるデータクロックＤＣＬＫ及び第２スイッチング制御信号ＳＣＳ２により制御され、外部から供給される映像データ（ｄａｔａ）をアドレス電極Ｘ１〜Ｘｍに供給する。
【００２２】
スキャン駆動部５４は、タイミング制御部５６から供給される第１スイッチング制御信号ＳＣＳ１によりリセットパルス及びスキャンパルスをスキャン電極Ｙ１〜Ｙｎに供給し、また、スキャン駆動部５４は、常にバイアス電圧、好ましくは、基底電圧ＧＮＤを供給される維持電極Ｚ１〜Ｚｎと、サステイン放電を起こすために正極性のサステインパルス（以下、第１パルスとする）と、負極性のサステインパルス（以下、第２パルスとする）とを交互にスキャン電極Ｙ１〜Ｙｎに供給する。
【００２３】
プラズマディスプレイパネル５０に設置されたサステイン電極Ｚ１〜Ｚｎは、基底電圧源ＧＮＤに接続される。すなわち、サステイン電極を駆動するための駆動部は存在しない。したがって、プラズマディスプレイ装置の製造費用を減らすことができる。もちろん、プラズマディスプレイ装置は、サステイン電極を駆動するための駆動部を備えて、サステイン電極に所定のバイアス電圧を印加するか、又はサステイン電極がグラウンドを維持できるようにしてもよい。
【００２４】
駆動電圧発生部５８は、所定の駆動波形が生成され得るように、多様な駆動電圧を生成してアドレス駆動部５２及びスキャン駆動部５４に供給する。
【００２５】
タイミング制御部５６は、所定の駆動波形が生成され得るように、多様なスイッチング制御信号を生成してアドレス駆動部５２及びスキャン駆動部５４に供給する。例えば、タイミング制御部５６は、第１スイッチング制御信号ＳＣＳ１を生成して、スキャン駆動部５４に供給する。そして、タイミング制御部５６は、第２スイッチング制御信号ＳＣＳ２及びデータクロックＤＣＬＫを生成して、アドレス駆動部５２に供給する。
【００２６】
以下では、本発明の実施の形態に係るプラズマディスプレイ装置の駆動方法について、図面を参照して詳細に説明する。
【００２７】
図２は、本発明の実施の形態に係るプラズマディスプレイパネルに印加される駆動波形を示した図である。
【００２８】
図２に示すように、プラズマディスプレイ装置の駆動方法は、１つのサブフィールドをプラズマディスプレイパネル５０の全てのセルを初期化させるためのリセット期間、放電するセルを選択するためのアドレス期間、選択されたセルの放電を維持させるためのサステイン期間に分けて、それぞれの電極Ｘ１〜Ｘｍ、Ｙ１〜Ｙｎ、Ｚ１〜Ｚｎに駆動パルスを印加し、画像を表現する。
【００２９】
リセット期間のうち、セットアップ期間においては、プラズマディスプレイパネル５０のスキャン電極Ｙ１〜ＹｎにセットアップＳｅｔ−ｕｐパルスが供給される。このセットアップＳｅｔ−ｕｐパルスによりパネルの放電セル内には、弱い暗放電（Ｗｅａｋ  Ｄｉｓｃｈａｒｇｅ）が起きる。以後、セットダウン期間においては、サステイン電圧Ｖｓレベルの電圧から特定電圧レベルまで落ちるセットダウンＳｅｔ−ｄｏｗｎパルスがスキャン電極Ｙ１〜Ｙｎに供給される。したがって、セル内の正極性壁電荷と負極性壁電荷は、スキャン電極Ｙ１〜Ｙｎとアドレス電極Ｘ１〜Ｘｍとの間に消去放電を起こすことによって、十分に消去される。
【００３０】
アドレス期間では、スキャン基準電圧Ｖｓｃから下降する負極性スキャンパルス（Ｓｃａｎ）がスキャン電極Ｙ１〜Ｙｎに供給される。また、アドレス電極Ｘ１〜Ｘｍには、前述のスキャンパルスに対応する正極性のデータパルスが供給される。このようなスキャンパルスとデータパルスの電圧差とリセット期間に生成された壁電圧とが加算されながら、データパルスが印加される放電セル内にはアドレス放電が発生する。アドレス放電により選択された放電セル内には、サステイン電圧Ｖｓが印加されるときに放電を起こす程度の壁電荷が形成される。
【００３１】
サステイン期間においては、スキャン電極Ｙ１〜Ｙｎに第１パルスと第２パルスが交互に供給される。サステイン電極Ｚ１〜Ｚｎには、所定のバイアス電圧が供給され、好ましくは、サステイン電極Ｚ１〜Ｚｎは、グラウンドレベルに維持される。
【００３２】
このようにサステイン電極を所定のバイアス電圧に維持すると、特別にサステイン電極を駆動するための駆動回路を減らすことができるので、製造費用を減らすことができる。
【００３３】
第１パルスは、負極性電圧−Ｖｓ＋Ｖａから正極性サステイン電圧Ｖｓまで上昇した後、一定期間維持されるパルスであり、第２パルスは、正極性サステイン電圧Ｖｓから負極性電圧−Ｖｓ＋Ｖａに下降した後、一定期間維持されるパルスである。
【００３４】
これについての詳細な説明は、後述する図３を参照して詳細に説明する。
【００３５】
また、図示していないが、サステイン期間以後には、スキャン電極又はサステイン電極にサステイン放電後に蓄積される壁電荷を消去するための消去期間がさらに追加される。
【００３６】
図３は、図２のサステイン期間において、スキャン電極とサステイン電極に印加される駆動パルスの第１の実施の形態を詳細に説明するための図である。
【００３７】
図３に示すように、サステイン期間においてスキャン電極には、第１パルスと第２パルスが第１電極に交互に供給され、サステイン電極は、グラウンドレベルに維持される。この場合、第１パルスの絶対値電圧と第２パルスの絶対値電圧は、互いに異なるようにすることによって、電極間に発生する輝度差を補償することができる。
【００３８】
第１パルスの絶対値電圧の大きさと第２パルスの絶対値電圧の大きさは、プラズマディスプレイパネルの駆動特性により調節される。
【００３９】
また、図３では、第１パルスの絶対値電圧が第２パルスの絶対値電圧より大きくなるようになっているが、これとは異なり、プラズマディスプレイパネルの駆動特性に応じて、第２パルスの絶対値電圧が第１パルスの絶対値電圧より大きくなってもよい。
【００４０】
この場合、第１パルスの電圧の絶対値と第２パルスの電圧の絶対値との差は、アドレス期間において第３電極に印加されるデータパルスの電圧Ｖａと実質的に同一である。
【００４１】
また、第１パルスの電圧の絶対値と第２パルスの電圧の絶対値との差は、プラズマディスプレイパネルの駆動特性に応じて、アドレス期間において第３電極に印加されるデータパルスの電圧の範囲内で調節されてもよい。例えば、プラズマディスプレイパネルを駆動する際、複数のサブフィールドのうち、何れかのサブフィールドで電極間の輝度差が発生したり、サステイン放電が不安定な場合、第１パルスの電圧の絶対値と第２パルスの電圧の絶対値との差を調節して、不安定なサステイン放電を改善することができる。
【００４２】
図４は、図２のサステイン期間においてスキャン電極とサステイン電極に印加される駆動パルスの第２の実施の形態を詳細に説明するための図である。
【００４３】
図４に示すように、サステイン期間においてスキャン電極には、第１パルスと第２パルスが第１電極に交互に供給され、サステイン電極は、グラウンドレベルに維持される。この場合、負極性電圧−Ｖｓ＋Ｖａから正極性サステイン電圧Ｖｓまで上昇する第１パルスの上昇期間Ｅ１は、正極性サステイン電圧Ｖｓから負極性電圧−Ｖｓ＋Ｖａまで下降する第２パルスの下降期間Ｅ２より短い。
【００４４】
第１パルスの上昇期間は、プラズマディスプレイパネルの駆動特性に応じて異なるように設定してもよいが、第１パルスの上昇時間が３００ｎｓ以上１ｍｓ以下の範囲でプラズマディスプレイパネルの駆動特性を効率的に向上させることができる。
【００４５】
また、第１パルスの上昇期間と第２パルスの下降期間の比も、プラズマディスプレイパネルの駆動特性に応じて異なるように設定してもよいが、第１パルスの上昇期間と第２パルスの下降期間の比が１：１．２以上１：１．５以下の範囲を有することによって、プラズマディスプレイパネルの駆動マージンをさらに確保することができる。
【００４６】
上述の上昇期間Ｅ１又は下降期間Ｅ２は、該パルスの傾斜で表すことができる。すなわち、第１パルスの傾斜の絶対値が第２パルスの傾斜の絶対値より大きいと表すことができる。
【００４７】
このように、第２パルスの下降期間Ｅ２より短い上昇期間Ｅ１を有する第１パルスをスキャン電極に印加することで、電極ライン間に発生する輝度差をさらに補償することができる。
【００４８】
図５は、図２のサステイン期間においてスキャン電極とサステイン電極に印加される駆動パルスの第３の実施の形態を詳細に説明するための図である。
【００４９】
図５に示すように、サステイン期間においてスキャン電極には、第１パルスと第２パルスが第１電極に交互に供給され、サステイン電極は、グラウンドレベルに維持される。この場合、第１パルスが正極性サステイン電圧Ｖｓに維持されるバイアス期間Ｄ１は、第２パルスが負極性電圧−Ｖｓ＋Ｖａに維持されるバイアス期間Ｄ２より短い。
【００５０】
第１パルスのバイアス期間Ｄ１は、プラズマディスプレイパネルの駆動特性に応じて異なるように設定してもよいが、第１パルスのバイアス期間Ｄ１が５００ｎｓ以上２ｍｓ以下の範囲を有することがプラズマディスプレイパネルの駆動特性を効率的に向上させることができる。
【００５１】
また、第１パルスのバイアス期間Ｄ１と第２パルスのバイアス期間Ｄ２との比も、プラズマディスプレイパネルの駆動特性に応じて異なるように設定してもよいが、第１パルスのバイアス期間Ｄ１と第２パルスのバイアス期間Ｄ２との比が１：１．３以上１：１．８以下の範囲を有することによって、プラズマディスプレイパネルの駆動マージンをさらに確保することができる。
【００５２】
このように、第２パルスのバイアス期間Ｄ２より短いバイアス期間Ｄ１を有する第１パルスをスキャン電極に印加することで、電極ライン間に発生する輝度差を補償することができる。
【００５３】
本発明の実施の形態において、サステイン期間において第１パルスと第２パルスは、スキャン電極に交互に印加され、サステイン電極は、グラウンドレベルに維持されるようになっているが、反対に第１パルスと第２パルスがサステイン電極に印加され、スキャン電極がグラウンドレベルに維持されるようにしてもよい。
【００５４】
また、本発明の実施の形態において、サステイン期間において駆動パルスの上昇時間と下降時間を調節してスキャン電極に印加し、独立的に駆動パルスのバイアス期間を調節してスキャン電極に印加するようにしたが、駆動パルスの上昇時間と下降時間及びバイアス期間を同時に調節してスキャン電極に印加して、電極ライン間の輝度差やプラズマディスプレイパネルの駆動特性を向上させてもよい。
【００５５】
また、プラズマディスプレイパネルに配列された電極構造、例えば、スキャン電極−サステイン電極−スキャン電極−サステイン電極の配列構造（ＹＺＹＺ）だけでなく、スキャン電極−スキャン電極−サステイン電極−サステイン電極（ＹＹＺＺ）の配列構造でも、本発明に係る駆動パルスが各電極に印加されて適用される。
【００５６】
図６は、本発明の他の実施の形態に係るプラズマディスプレイ装置を概略的に示した図である。
【００５７】
図６に示すように、本発明の他の実施の形態に係るプラズマディスプレイ装置は、図１に示したプラズマディスプレイパネル５０、アドレス駆動部５２、スキャン駆動部５４、タイミング制御部５６、及び駆動電圧発生部５８と同様なので、これについての説明は省略する。
【００５８】
但し、サステイン駆動部６０は、タイミング制御部５６から供給される第３スイッチング制御信号ＳＣＳ３により制御され、正極性電圧又は負極性電圧をサステイン電極Ｚ１〜Ｚｎに供給する。
【００５９】
以下では、本発明の実施の形態に係るプラズマディスプレイ装置の駆動方法について、図面を参照して詳細に説明する。
【００６０】
図７は、本発明の他の実施の形態に係るプラズマディスプレイパネルに印加される駆動波形を示した図である。
【００６１】
図７に示すように、本発明の他の実施の形態に係るプラズマディスプレイパネルに印加される駆動波形は、図２に示した各期間、例えばリセット期間とアドレス期間においてプラズマディスプレイパネルに印加される駆動波形と同様なので、これについての説明は省略する。
【００６２】
但し、セットアップ期間においては、アドレス電極Ｘ１〜Ｘｍに正極性バイアス電圧Ｒｐを印加する。このような正極性バイアス電圧は、リセット期間において発生する暗放電の光強度をさらに減らすことができる。
【００６３】
また、サステイン期間においては、スキャン電極に絶対値電圧の異なる第１パルスと第２パルスが交互に供給され、スキャン電極に第２パルスが印加される間、サステイン電極に第１正極性パルスＰｐ１が印加される。このようにすることによって、スキャン電極とサステイン電極との間の面放電を向上させ、スキャン電極とサステイン電極との間の輝度差をさらに補償することができる。この場合、スキャン電極に第１パルスが印加される間、アドレス電極に第２正極性パルスＰｐ２が印加される。第２正極性パルスＰｐ２は、放電の際、壁電荷による蛍光体の損傷を減らすことができ、かつ面放電を向上させる。
【００６４】
サステイン電極とスキャン電極にそれぞれ印加される第１正極性パルス及び第２正極性パルスの電圧は、スキャン電極とアドレス電極との間に対向放電が発生しない程度の電圧であって、好ましくは、アドレス期間においてアドレス電極に印加されるデータパルスの電圧と実質的に同一である。これにより、プラズマディスプレイパネルを駆動させるための駆動回路の費用を低減させ得る。
【００６５】
図８は、本発明のさらに他の実施の形態に係るプラズマディスプレイパネルに印加される駆動波形を示した図である。
【００６６】
図８に示すように、本発明のさらに他の実施の形態に係るプラズマディスプレイパネルに印加される駆動波形は、図７の駆動波形と同様なので、これについての説明は省略する。
【００６７】
但し、データ電極は、サステイン期間においては、グラウンドレベルに維持される。
【００６８】
図９は、本発明のさらに他の実施の形態に係るプラズマディスプレイパネルに印加される駆動波形を示した図である。
【００６９】
図９に示すように、図７と同様に、プラズマディスプレイパネルに印加される駆動波形と同様なので、これについての説明は省略する。
【００７０】
但し、サステイン期間においては、スキャン電極に絶対値電圧が実質的に同じ第１パルスと第２パルスが交互に供給され、スキャン電極に第１パルスが印加される間、サステイン電極に負極性方向の第３パルスＮｐが印加される。この場合、第３パルスの電圧の絶対値は、アドレス期間においてアドレス電極に印加されるデータパルスの電圧と実質的に同一である。
【００７１】
このようなプラズマディスプレイパネルの駆動方法も、電極間に発生する輝度差を補償することができる。
【００７２】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００７３】
【図１】本発明の実施の形態に係るプラズマディスプレイ装置を概略的に示した図である。
【図２】本発明の実施の形態に係るプラズマディスプレイパネルに印加される駆動波形を示した図である。
【図３】図２のサステイン期間においてスキャン電極とサステイン電極に印加される駆動パルスの第１の実施の形態を詳細に説明するための図である。
【図４】図２のサステイン期間においてスキャン電極とサステイン電極に印加される駆動パルスの第２の実施の形態を詳細に説明するための図である。
【図５】図２のサステイン期間においてスキャン電極とサステイン電極に印加される駆動パルスの第３の実施の形態を詳細に説明するための図である。
【図６】本発明の他の実施の形態に係るプラズマディスプレイ装置を概略的に示した図である。
【図７】本発明の他の実施の形態に係るプラズマディスプレイパネルに印加される駆動波形を示した図である。
【図８】本発明のさらに他の実施の形態に係るプラズマディスプレイパネルに印加される駆動波形を示した図である。
【図９】本発明のさらに他の実施の形態に係るプラズマディスプレイパネルに印加される駆動波形を示した図である。
【図１】
2007249208.tif 000003
【図２】
2007249208.tif 000004
【図３】
2007249208.tif 000005
【図４】
2007249208.tif 000006
【図５】
2007249208.tif 000007
【図６】
2007249208.tif 000008
【図７】
2007249208.tif 000009
【図８】
2007249208.tif 000010
【図９】
2007249208.tif 000011